(57)【特許請求の範囲】
【請求項１】
ブッシングウェルであって、
ブッシングインサートの端部を受けるための円錐状の内部キャビティを形成する当該ブッシングウェルのハウジングと、
前記ハウジング内に配置された導電性の挿入部と、を備え、
前記挿入部が、当該ブッシングウェルを電気装置に取り付けるために、取付工具により前記ハウジングの前記内部キャビティを介してアクセス可能な取付工具係合部分を有し、
導電性の前記挿入部が、管状部材であって当該管状部材を通る軸方向孔部を有する管状部材を備え、前記取付工具係合部分が、前記軸方向孔部に形成されたレンチ通路により形成されており、前記レンチ通路が、レンチソケットを形成する六角形の内部断面を有し、
前記管状部材の前記軸方向孔部が、第１の内ネジ部分と、前記第１の内ネジ部分と反対側の第２の内ネジ部分と、を備え、前記レンチソケットが、前記第１及び第２の内ネジ部分間に配置され、
当該ブッシングウェルが、外ネジが形成された交換可能なウェル鋲部であって前記軸方向孔部の前記第１の内ネジ部分に螺合されるウェル鋲部をさらに備えることを特徴とするブッシングウェル。
【請求項２】
前記ウェル鋲部が、ブッシングインサートにおける内ネジ部材と係合するための第１の外ネジ端部と、前記第１の外ネジ端部と反対側の第２の外ネジ端部であって前記挿入部の前記第１の内ネジ端部分と係合するための第２の外ネジ端部と、当該ウェル鋲部の前記第１及び第２の外ネジ端部の間に配置されて径方向で拡大された中間セクションと、を備えることを特徴とする請求項１に記載のブッシングウェル。
【請求項３】
前記ウェル鋲部が、六角形の肩部分であって取付工具と係合して当該ウェル鋲部を前記挿入部に締結するために前記中間セクションに配置された肩部分をさらに備えることを特徴とする請求項２に記載のブッシングウェル。
【請求項４】
ブッシングウェルであって、
ブッシングインサートの端部を受けるための円錐状の内部キャビティを形成する当該ブッシングウェルのハウジングと、
前記ハウジング内に配置された導電性の挿入部と、を備え、
前記挿入部が、当該ブッシングウェルを電気装置に取り付けるために、取付工具により前記ハウジングの前記内部キャビティを介してアクセス可能な取付工具係合部分を有し、
導電性の前記挿入部が、
管状部材であって当該管状部材を通る軸方向孔部を有する管状部材と、
前記管状部材の前記軸方向孔部内に配置された組立ボルトと、を備え、
前記組立ボルトが、前記取付工具係合部分を有し、
前記組立ボルトが、第１の内ネジ端部と、前記第１の内ネジ端部と反対側の第２の外ネジ端部であって電気装置におけるネジ部材と係合するための第２の外ネジ端部と、前記第１の内ネジ端部及び第２の外ネジ端部の間に配置された中間セクションと、を備え、
前記取付工具係合部分が、前記中間セクションに配置された六角形の肩部分を備え、
当該ブッシングウェルが、外ネジが形成されて交換可能なウェル鋲部であって前記組立ボルトの前記第１の内ネジ端部に螺合、収容されるウェル鋲部をさらに備えることを特徴とするブッシングウェル。
【請求項５】
前記ハウジングが、
実質的に絶縁ゴムで形成された円錐形状の挿入端部と、
実質的に半導電性ゴムで形成されて径方向で拡大された肩部分と、を備えることを特徴とする請求項１に記載のブッシングウェル。
【請求項６】
前記肩部分が、前記ハウジング内に一体的に成形された半導電性ゴムのスリーブを備え、
前記スリーブが、前記肩部分の外面全体を実質的に被覆することを特徴とする請求項５に記載のブッシングウェル。
【請求項７】
前記肩部分の前記半導電性ゴムに一体的に成形されたベイルタブであって電気部材の当該ブッシングウェルへの取り付けを強化するためのベイルタブをさらに備えることを特徴とする請求項５に記載のブッシングウェル。
【請求項８】
請求項１〜３および５〜７のいずれか一項に記載のブッシングウェルを電気装置に固定するための方法であって、
前記ブッシングウェルにおける円錐形状の挿入端部を前記電気装置における結合コネクタに挿入する工程と、
取付工具を、前記ブッシングウェルにおける円錐形状の内部キャビティに挿入する工程と、
前記取付工具を、前記ブッシングウェル内における導電性の挿入部に形成された取付工具係合部分に係合する工程と、
前記取付工具を回転し、前記ブッシングウェルを前記電気装置に螺合する工程と、を含んだ方法において、
導電性の前記挿入部が、管状部材であって当該管状部材を通る軸方向孔部を有する管状部材を備え、前記取付工具係合部分が、前記軸方向孔部に形成されたレンチ通路により形成されており、前記レンチ通路が、レンチソケットを形成する六角形の内部断面を有し、
前記管状部材の前記軸方向孔部が、第１の内ネジ部分と、前記第１の内ネジ部分と反対側の第２の内ネジ部分と、を備え、前記レンチソケットが、前記第１及び第２の内ネジ部分間に配置され、
当該ブッシングウェルが、外ネジが形成された交換可能なウェル鋲部であって前記軸方向孔部の前記第１の内ネジ部分に螺合されるウェル鋲部をさらに備えることを特徴とする方法。
【請求項９】
請求項４に記載のブッシングウェルを電気装置に固定するための方法であって、
前記ブッシングウェルにおける円錐形状の挿入端部を前記電気装置における結合コネクタに挿入する工程と、
取付工具を、前記ブッシングウェルにおける円錐形状の内部キャビティに挿入する工程と、
前記取付工具を、前記ブッシングウェル内における導電性の挿入部に形成された取付工具係合部分に係合する工程と、
前記取付工具を回転し、前記ブッシングウェルを前記電気装置に螺合する工程と、を含んだ方法において、
導電性の前記挿入部が、
管状部材であって当該管状部材を通る軸方向孔部を有する管状部材と、
前記管状部材の前記軸方向孔部内に配置された組立ボルトと、を備え、
前記組立ボルトが、前記取付工具係合部分を有し、
前記組立ボルトが、第１の内ネジ端部と、前記第１の内ネジ端部と反対側の第２の外ネジ端部であって電気装置におけるネジ部材と係合するための第２の外ネジ端部と、前記第１及び第２の内ネジ端部の間に配置された中間セクションと、を備え、
前記取付工具係合部分が、前記中間セクションに配置された六角形の肩部分を備え、
前記ブッシングウェルが、外ネジが形成されて交換可能なウェル鋲部であって前記組立ボルトの前記第１の内ネジ端部に螺合、収容されるウェル鋲部をさらに備えることを特徴とする方法。
【請求項１０】
ブッシングウェルであって、
ブッシングインサートの端部を受けるための円錐状の内部キャビティを形成する当該ブッシングウェルのハウジングであって、当該ハウジングが、実質的に絶縁ゴムで形成された円錐形状の挿入端部と実質的に半導電性ゴムで形成されて径方向で拡大された肩部分とを有するハウジングと、
前記内部キャビティに挿入された前記ブッシングインサート及び外部電気コネクタの間における電気的かつ機械的結合のために前記ハウジング内に配置された導電性の挿入部と、を備え、
前記挿入部は、前記ブッシングウェルを電気装置に取り付けるために、取付工具により前記ハウジングの前記内部キャビティを介してアクセス可能な取付工具係合部分を有し、
導電性の前記挿入部が、管状部材であって当該管状部材を通る軸方向孔部を有する管状部材と、第１のネジ部分と、該第１のネジ部材と反対側の第２のネジ部材とを具備し、
前記取付工具係合部分は前記軸方向孔部内に設けられたレンチ通路によって形成され、該レンチ通路はレンチソケットを形成する六角形の内部断面を有し、前記レンチソケットは前記環状部材の前記第１のネジ部分と前記第２のネジ部分との間に配置され、
外ネジが形成された交換可能なウェル鋲部が前記軸方向孔部の第１のネジ部分に螺合され、前記ウェル鋲部は前記ブッシングインサートの内ネジ部材と係合するための第１の外ネジ端部と、前記ブッシングインサートの前記第１のネジ部材と係合するための第１の外ネジ端部と反対側の第２の外ネジ端部と、前記第１のネジ端部と第２のネジ端部との間に配置された、径方向に拡大された中間部分と、を具備していることを特徴とするブッシングウェル。
【請求項１１】
前記肩部分が、前記ハウジング内に一体的に成形された半導電性ゴムのスリーブを備え、
前記スリーブが、前記肩部の外面全体を実質的に被覆することを特徴とする請求項１０に記載のブッシングウェル。
【発明の詳細な説明】
【技術分野】
【０００１】
関連出願の相互参照
この出願は、２００７年７月９日に出願された米国仮特許出願第６０／９５８９４１号の優先権を主張しており、この出願は、そのすべてが参照として本明細書に組み込まれる。
【０００２】
本発明は、一様に中及び高電圧の配電システムに採用される部材の構造に関し、かつより具体的には、このような配電システムにおけるブッシングウェル(bushing well)の結合部材の構造及び利用の改良に関する。
【背景技術】
【０００３】
ケーブル及び変圧器の間のような地下の配電システムの接続は、一般に特別に設計されたロードブレイク(loadbreak)コネクタ及びデッドブレイク(deadbreak)コネクタのような分離可能な雄型及び雌型の電気コネクタにより達成される。このようなケーブルコネクタは、１５、２５及び３５ｋＶのシステムと関連して使用されており、一般に電力ケーブルエルボーコネクタ及びブッシングインサートを含む。エルボーコネクタは、電力ケーブルを受けるように構成された一端部と、ブッシングインサートの挿入端部を受けるように構成された他端部と、を有する。ブッシングインサートの反対側の端部は、エルボーコネクタから外方に延在し、順に例えば変圧器のブッシングウェルに収容されうる。
【０００４】
現在、大部分のブッシングウェルには、ブッシングウェルの電気接触素子と一体化された一体的にネジ山が形成された鋲部が構成されている。一端部において、鋲部は、ブッシングインサートをブッシングウェルと機械的に結合かつ電気的に接続するためのネジコネクタとして機能する。その反対側の端部において、鋲部には、ウェルを変圧器のような他の電気装置とさらに接続するための他のネジコネクタが設けられている。ブッシングウェルは、主としてスパナレンチのようなレンチをウェルの外部肩部分の周りで作動させることによりこのような他の電気部材に取り付けられている。
【発明の開示】
【発明が解決しようとする課題】
【０００５】
これら従来のブッシングウェルについての１つの欠点は、取り付け中においてウェルの外面に作動される工具によりしばしばもたらされる損傷である。特に、スパナレンチの利用は、封止に不可欠な肩部分におけるメッキされたエポキシ材料及び他の表面に剥離または亀裂をよくもたらす。
【０００６】
他の欠点は、ブッシングインサートのブッシングウェルへの組み立て中において、部材間におけるネジ接続がときどき過度に締結され、鋲部が電気接触素子から抜ける結果となる。さらに、ブッシングインサートをブッシングウェルから分解するときにおいて、ネジ接続は、しばしば固着されていることがわかっており、再度ブッシングウェルの電気接触素子からネジ鋲部を切断する結果となる。他の場合において、鋲部のネジ山は、摩擦により損傷され、これにより、鋲部を所望の結合及び接続を実現することにおいて役に立たなくする。これらの場合それぞれにおいて、結末としては、ブッシングウェル全体の交換が必要となり、配電システムにおける無視できない停止時間及び無視できない余計な支出をもたらす。
【０００７】
従来のブッシングウェルについての他の欠点は、製造中において直面する問題に関する。主として、これらコネクタは、エポキシ材料のトランスファー成形により製造される。エポキシ成形は、高価であり、他の必須のゴム及び金属部材の間の良好な接着を達成することがしばしば困難となる。さらに、上述したように、メッキされたエポキシの表面は、取り付け中に剥離、亀裂しやすく、他の固い面にブッシングウェルが落下または衝突する場合に容易に損傷される。その上、ゴムと比較して、メッキされたエポキシは、湿潤環境において所望どおりとならない。
【０００８】
したがって、ウェルの重要な表面における損傷または擦傷の危険性を最小化して、他の電気部材に取り付けられまたは搭載されることができるブッシングウェルを提供することは望ましい。また、ブッシングウェル全体の交換を必要とすることなく損傷または破損された鋲部を容易に取り外し及び交換可能としたブッシングウェルを提供することは、有利である。製造コストを低減し、取扱い時に損傷されにくいブッシングウェルを提供することは、さらに望ましい。
【０００９】
本発明の目的は、ウェルの外面に工具を用いなければならないことなく電気部材に容易に取り付けられる改良されたブッシングウェルを提供することである。
【００１０】
本発明の他の目的は、ネジ鋲部がブッシングウェルの電気接触素子に取り外し可能に固定され、取り付けられたブッシングウェルを妨げることなく選択的に交換可能とする改良されたブッシングウェルの鋲部構造を提供することである。
【００１１】
本発明のさらに他の目的は、ブッシングウェルを成形するために必要なメッキされたエポキシ材料の量を低減し、これにより最終製品のコストを削減し、さらにウェルの外面における擦傷の可能性を最小化することである。
【００１２】
本発明のさらなる目的は、説明されかつ現場で現在使用されているブッシングインサートと互換性があり、現在利用可能なブッシングウェルの直接交換としての改良の即時、広範な使用が可能となるタイプの改良されたブッシングウェルを提供することである。
【課題を解決するための手段】
【００１３】
これら及び他の目的の効率的な実現において、本発明は、ブッシングウェルであって、ブッシングインサートの端部を受けるための円錐状の内部キャビティを形成する当該ブッシングウェルのハウジングと、前記ハウジング内に配置された導電性の挿入部と、を一様に有し、前記挿入部が、当該ブッシングウェルを電気装置に取り付けるために、取付工具により前記ハウジングの前記内部キャビティを介してアクセス可能な取付工具係合部分を有するブッシングウェルを提供する。
【００１４】
好ましい実施形態において、導電性の前記挿入部が、管状部材であって当該管状部材を通る軸方向孔部を有する管状部材である。軸方向孔部は、レンチソケットを形成する六角形の内部断面を有するレンチ通路を形成する。
【００１５】
代替の実施形態において、導電性の挿入部は、管状部材であって当該管状部材を通る軸方向孔部を有する管状部材と、前記管状部材の前記軸方向孔部内に配置された組立ボルトと、を備え、前記組立ボルトが、前記取付工具係合部分を有する。
【００１６】
いずれかの場合において、ブッシングウェルは、外ネジが形成された交換可能なウェル鋲部であって導電性の前記挿入部または組立ボルトのいずれかに取り外し可能に取り付けられたウェル鋲部をさらに好ましくは有する。また、ハウジングは、実質的に絶縁ゴムで形成された円錐形状の挿入端部と、実質的に半導電性ゴムで形成されて径方向で拡大された肩部分と、を好ましくは有する。
【００１７】
本発明は、ブッシングウェルを電気装置に固定するための方法にさらに関する。方法は、前記ブッシングウェルにおける円錐形状の挿入端部を前記電気装置における結合コネクタに挿入する工程と、取付工具を、前記ブッシングウェルにおける円錐形状の内部キャビティに挿入する工程と、前記取付工具を、前記ブッシングウェル内における導電性の挿入部に形成された取付工具係合部分に係合する工程と、前記取付工具を回転し、前記ブッシングウェルを前記電気装置に螺合する工程と、を一様に備える。
【００１８】
前記取付工具係合部分は、導電性の前記挿入部に形成されたレンチ通路により好ましくは形成されており、前記レンチ通路は、レンチソケットを形成する六角形の内部断面を好ましくは有する。また、方法は、外ネジが形成された交換可能なウェル鋲部を、前記ブッシングウェル内に配置された導電性の前記挿入部に螺合する工程を好ましくは有する。
【発明を実施するための最良の形態】
【００１９】
ブッシングウェルの好ましい形態とこの発明の他の実施形態、目的、特徴及び有利点とは、添付の図面と共に読まれる以下の実例となる実施形態自体の詳細な説明から明らかになるだろう。
【００２０】
まず図１及び図２を参照すると、従来のブッシングウェル１００が示されている。ブッシングウェル１００は、一様にメッキされたエポキシ材料から成形されたハウジング１０２を有する。ハウジング１０２は、円錐形状の挿入端部１０４を有し、挿入端部１０４は、電力変圧器のような電気装置の装置面板（図示略）内にまたはエルボーコネクタ（図示略）のエルボー袖口部内に受けられるサイズとなっている。ハウジング１０２は、１以上の放射状開口部１０８を有する肩部分１０６をさらに有し、放射状開口部１０８は、スパナレンチのような取付工具を受けるように構成されている。ハウジング１０２は、円錐形状の内部キャビティ１０９をさらに有し、内部キャビティ１０９は、ブッシングインサート（図示略）の円錐形状の端部を受けるように構成されている。
【００２１】
電気接触組立体１１０は、ハウジング１０２の円錐形状の挿入端部１０４内に一体的に成形されている。電気接触組立体１１０は、鋲部材１１２及び接触挿入部１１４を有する。鋲部材１１２は、一様に外ネジが形成された対向する端部１１６、１１７を有するシリンダ状のロッドである。鋲部材１１２の第１の外ネジ端部１１６は、ブッシングインサートにおける内ネジ部材と係合するように構成されている。第２の外ネジ端部１１７は、第１の端部１１６と反対側にあり、接触挿入部１１４との係合をもたらす。この点で、接触挿入部１１４には、組み立てると鋲部材１１２の第２の端部１１７と螺合するように構成されて内ネジが形成された開口部１１８が設けられている。接触挿入部１１４は、電気部材における外ネジが形成された電気端子（図示略）であってウェル１００が取り付けられる電気端子を受けるように構成された内ネジが形成された受部１２０をさらに形成する。
【００２２】
鋲部材１１２及び接触挿入部１１４は、共に予め組み立てられており、上述のように、電気接触組立体１１０を形成し、ハウジング１０２は、その後組立体の周囲に成形されて一体化されたウェルを形成する。鋲部材１１２及び／または接触挿入部１１４は、１以上の平面部または凹所１２２を有し、電気接触組立体１１０のハウジング１０２の挿入端部１０４における成形材料内への封入を強化する。
【００２３】
肩部分１０６には、押下ベイル(hold down bail)と係合するように構成された１以上の一体的に成形されたベイルタブ(bail tab)１２４がさらに設けられており、ウェル１００、ブッシングインサート及びエルボーの間における取り付けを強化する。ベイルタブ１２４は、主としてハウジング１０２の肩部分１０６内に一体的に成形されたゴム材料リング１２６内に成形されている。
【００２４】
取り付けるとき、ブッシングウェル１００は、主として電気部材のネジ端部に手で締結される。スパナレンチのような取付工具のフィンガーは、ハウジングの肩部分１０６の開口部１０８内に挿入され、工具は、ハウジング１０２を回転しさらにウェル１００を電気部材に締結するように作動される。ブッシングインサートは、キャビティ１０９内に挿入され、ウェルに螺着(threadably secure)される。上述したように、従来のブッシングウェルの主な欠点は、取付工具の傾向であって取り付け中にハウジング１０２の肩部分１０６の外面に損傷を与える傾向である。
【００２５】
ここで図３〜図５に転じると、本発明において形成されたブッシングウェル１０の好ましい実施形態が示されている。本発明のブッシングウェル１０は、ＥＰＤＭ絶縁ゴムで成形されたハウジング１２を有する。ハウジング１２は、円錐形状の挿入端部１４を有し、挿入端部１４は、ＩＥＥＥ規格３８６に準拠し、従来のウェル１００に関して上述したように結合コネクタ内に収容される。ハウジング１２は、肩部分１６をさらに同様に有しており、円錐形状の内部キャビティ１８を形成し、内部キャビティ１８は、ＩＥＥＥ規格３８６に準拠し、ブッシングインサート（図示略）の円錐形状の端部を受ける。
【００２６】
本発明のハウジング１２は、一体的に成形された接触挿入部２０を有し、挿入部２０は、ウェル１０を電気装置に組み立てるための取付工具と係合するように特別に設計されている。より詳細には、好ましい実施形態において、接触挿入部２０は、アルミニウムまたは銅のような導電性材料で形成された管状部材である。挿入部２０は、ハウジングの挿入端部１４を形成する絶縁ゴム内に恒久的に封入または埋込されており、それと共に一体化され、それを通って延在する軸方向孔部２２を有する。軸方向孔部２２は、第１の内ネジ端部分２４と、第１の部分と反対側の第２の内ネジ端部分２５と、対向する第１及び第２の端部分間に配置された中央の取付工具係合部分２６と、を有する。
【００２７】
第１の内ネジ端部分２４は、後述でさらに詳細に説明されるだろうように、交換可能なウェル鋲部３０と螺合するように構成されている。第２の内ネジ端部分２５は、ウェル１０が取り付けられる電気装置における外ネジが形成された電気端子（図示略）と螺合するように構成されている。中央の取付工具係合部分２６は、ウェル１０を回転してウェルを電気装置と接触させるために、六角レンチのような取付工具と係合するように構成されている。具体的には、中央の取付工具係合部分２６は、内部通路にレンチソケット２９が形成された六角形の内部断面構造を有するレンチ通路２８により形成されている。このようなレンチソケット２９は、３／８の六角穴繰り器の形をとることができ、標準の３／８六角レンチを受ける。
【００２８】
取り付けるとき、取付工具（図示略）は、ウェル１０の円錐状のキャビティ１８を通過されて接触挿入部２０の軸方向孔部２２内に挿入される。工具の鍵端部は、係合部分２６の内部通路２８内に収容され、レンチソケット２９と係合する。工具は、駆動されて接触挿入部２０を回転し、順にウェル１０全体を回転する。ウェル１０が回転されるにつれて、内ネジが形成された第２の端部分２５は、電気装置の電気端子と螺合し、ウェルを装置に固定する。
【００２９】
上述したように、本発明のウェル１０は、交換可能なウェル鋲部３０をさらに有し、ウェル鋲部３０は、ウェルが電気装置に取り付けられた後に接触挿入部２０に組み立てられる。後述でより詳細に説明されるだろうように、取り外し可能なウェル鋲部３０は、レンチ通路２８の選択的なアクセス及び閉鎖部を形成するのみならず、ウェル鋲部が損傷された場合にブッシングウェル全体を交換する不具合を緩和する。
【００３０】
交換可能なウェル鋲部３０は、第１の外ネジ端部分３２と、中間セクション３３と、第１の端部分と反対側の第２の外ネジ端部分３４と、を有する一様にシリンダ状部材である。第１の外ネジ端部分３２は、ブッシングインサートにおける内ネジ部材と係合するように構成されている。反対側の第２の外ネジ端部分３４は、接触挿入部２０の第１の内ネジ端部分２４と螺合するように構成されている。中間セクション３３は、第２の端部分３４よりも広く、中央部分は、停止部として機能して接触挿入部２０への鋲部３０のさらなる螺入を防止する。
【００３１】
ウェル鋲部３０は、工具との係合のための工具係合部分３６を有し、ウェル鋲部を接触挿入部２０に締結する。好ましい実施形態において、ウェル鋲部の工具係合部分３６は、第１及び第２の端部分３２及び３４間における中間セクション３３に配置された六角形状の肩部分３８の形をとり、適切な工具（図示略）に収容されかつ適切な工具（図示略）により回転されるように構成されている。
【００３２】
しかしながら、工具係合部分３６が他の形をとることは考えられる。例えば、スロット３７または他の凹所は、図７ａ及び図７ｂに示すように、スクリュードライバとの係合のために第１のネジ端部分３２に形成されてもよい。あるいは、第１のネジ端部分３２は、図８ａ及び図８ｂに示すように、六角レンチとの係合のために内側の六角形ソケット３９が形成されてもよい。いずれの形であっても、工具係合部分３６により、鋲部３０は、ブッシングウェル１０の接触挿入部２０と機械的かつ電気的に結合される。
【００３３】
ブッシングウェル１０を用いたブッシングインサートの組み立ては、従来の方法であって、ウェル鋲部３０のネジ端部分３２をブッシングインサートの電気接触素子におけるネジ開口部と係合する従来の方法により達成され、ブッシングインサート及びブッシングウェル１０の間における機械的結合及び電気的接続を達成する。ブッシングインサートのブッシングウェル１０からの分解は、再び、単にウェル鋲部３０及びブッシングインサートの開口部の間の接続部分を螺合解除することによる従来の方法で達成される。しかしながら、ネジ山の過度な締結または膠着のいずれかによりウェル鋲部３０が破損した場合、鋲部は、単独でブッシングウェル１０全体を交換する必要なく容易に交換されることができる。
【００３４】
本発明のウェルのハウジング１２は、ハウジングの肩部分１６に一体的に成形された半導電ゴムのスリーブ４０をさらに好ましくは有する。ゴムスリーブ４０は、ハウジングの肩部分１６の実質的に軸方向長さにわたって好ましくは延在しており、肩部分の外面全体の十分な量を形成する。ウェル１０の肩部分１６における半導電ゴムのスリーブ４０を置換することは、メッキされたエポキシ材料のウェルと比較して、ウェルにより大きな耐久性をもたらし、かつ取扱い時における損傷の危険性を小さくする。
【００３５】
さらに、上述した従来のウェル１００と同様に、本発明におけるウェル１０の肩部分１６には、１以上の一体的に成形されたベイルタブ４２であって押下ベイルと係合するように構成されてウェル１０、ブッシングインサート及びエルボーの間の取り付けを促進するベイルタブ４２が設けられまたは設けられていなくてもよい。図３から図５は、このようなタブ４２を有するブッシングウェル１０を示しており、図６は、このようなタブを有さないウェル１０ａを示す。さらに、本発明の比較的大きなゴムスリーブ４０を設けることがタブ４２をウェル１０に保持する強度を高めることはわかる。したがって、本発明のゴムスリーブ４０は、さらなる利点をもたらす。
【００３６】
同様に好ましい実施形態において、インターフェースシェル４４は、ハウジング１２の内部キャビティ１８内に配置されており、ブッシングインサートをウェル１０に組み立て、分解するときに発生する摩擦力を低減する。インターフェースシェル４４は、同様にウェル１０のこの部分を強化及び／または補強する。
【００３７】
このタイプのインターフェースシェルは、公知の米国特許６９３９１５１号明細書に開示されており、この開示は、その全体が本明細書に参照として組み込まれる。具体的には、シェル４４は、カップ形状をなし、ガラス充填されたナイロンのような低摩擦係数のプラスチック材料から成形された薄壁部材であり、ハウジング１２の円錐状の内部キャビティ１８に配置されており、インサートをウェル内に挿入するとき及びインサートをウェルから取り外すときにおけるインサート及びウェル１０の間の摩擦力を低減する。独立して成形されたシェル４４は、例えば射出成形、ブロー成形またはスピン成形により成形されてもよい。
【００３８】
シェル４４は、部品が成形された後に円錐状の内部キャビティ１８の内面に適当な接着剤により接着されてもよい。しかし、好ましい実施形態において、ウェルのハウジング１２における絶縁材料は、ハウジングの型内に配置された予備成形されたシェルの回りに直接成形または押出しされる。
【００３９】
ここで図９〜図１１に転じると、代替の実施形態において、ブッシングウェル１０ｂには、接触挿入部５０を通って形成された軸方向孔部５２であって内部の取付工具係合構造を有さない軸方向孔部５２を有する接触挿入部５０が設けられている。むしろ、この実施形態において、取付工具係合構造５６は、交換可能なウェル組立ボルト５４に形成されている。
【００４０】
具体的には、ウェル組立ボルト５４は、上述したように、ブッシングインサートの内ネジ部材と補完的である第１の外ネジ端部５８を有して形成されている。第１の外ネジ端部分５８から反対方向に延在しているものは、シャンク６０であり、シャンク６０は、接触挿入部５０の軸方向孔部５２内に延在する。第１の外ネジ端部５８と反対側のその端部において、シャンク６０には、ウェル１０ｂが取り付けられる電気装置と係合するための構造が設けられている。図９及び図１０は、外ネジ端部分６２の形をなすこのような構造を示しており、外ネジ端部分６２は、電気装置の内ネジ開口部と螺合する。あるいは、シャンク６０には、電気装置の外ネジ端子と係合する内ネジ係合部分が設けられてもよい。
【００４１】
ウェル組立ボルト５４に形成された取付工具係合構造５６は、第１の外ネジ端部分５８と隣接して配置された六角形の肩部分６４の形を好ましくはとり、ウェルのハウジング１２における内部キャビティ１８内に標準のソケットを用いてアクセス可能となる。しかし、ここでも、工具係合部分５６が図７ａ、図７ｂ、図８ａ及び図８ｂにおいて示されたウェル鋲部３０ａ、３０ｂに関して上述したような他の形をとってもよいことは想定できる。例えば、スロットまたは他の凹所は、スクリュードライバとの係合のために第１のネジ端部分５８に形成されてもよい。同様に、第１のネジ端部分５８には、六角レンチまたは他の工具との係合のための内側の六角形のソケットが形成されてもよい。
【００４２】
取り付けるとき、いったんウェル１０ｂが電気装置内で正確に設置されると、ウェル組立ボルト５４は、接触挿入部の軸方向孔部５２内に挿入されることができる。そして、取付工具は、ウェル１０ｂの内部キャビティ１８内に配置され、ウェル組立ボルト５４の取付工具係合構造５６に適用される。  工具を駆動することにより、ウェル組立ボルト５４は、接触挿入部５０の軸方向孔部５２内で回転し、電気装置の結合行動と螺合する。そして、ブッシングインサートは、ウェル１０のキャビティ内に挿入されることができ、従来の方法により組立ボルト５４の第１の外ネジ端部分５８に取り付けられる。
【００４３】
この実施形態におけるウェル１０ｂの１つの利点は、ウェル組立ボルト５４のみが取り付け時において回転することである。ウェル１０ｂ自体は、回転しない。したがって、取り付け中において電気装置の受部における結合する円錐状面に対してウェルの挿入端部１４の円錐状面を回転スライドするときに受ける摩擦力に耐えなければならない代わりに、ウェル１０ｂは、単純かつ容易に回転することなく受部内に配置されまたは下ろされる。
【００４４】
ここで図１２〜図１４に転じると、他の代替の実施形態において、ウェル１０ｃには、図９〜図１１を参照した上述のボルト５４と同様に、ウェル鋲部組立ボルト６６が設けられているが、この実施形態において、ボルトは、交換可能な外ネジ端部分６８を有する。
【００４５】
ブッシングウェル１０ｃには、先と同様に、接触挿入部５０であって接触挿入部５０を通る取付工具係合構造を有さない軸方向孔部５２を有する接触挿入部５０が設けられており、先と同様に、取付工具係合構造７０は、交換可能なウェル組立ボルト６６に設けられている。同様に、組立ボルト６６には、先と同様に、取付工具係合構造７０から反対側に向けて延在するシャンク７２が設けられており、シャンク７２は、接触挿入部５０の軸方向孔部５２内に延在する。シャンク７２には、ウェル１０ｃが取り付けられる電気装置と係合するための構造が設けられている。このような構造は、例えば電気装置における内部のネジ穴と螺合する外ネジ端部分７４の形をとってもよい。さらに、ウェルの組立ボルト６６に設けられた取付工具係合構造７０は、先と同様に、六角形の肩部分７６であって標準のソケットレンチまたは他の工具を用いてウェルのハウジングにおける内部キャビティ１８内にアクセス可能な肩部分７６の形を好ましくはとる。
【００４６】
しかしながら、この実施形態において、ボルト６６には、内部ネジ穴７７が形成されており、交換可能な外ネジ端部分６８と係合するように構成されている。交換可能な端部分６８は、ブッシングインサートにおける内ネジ部材と、上述したように内部ネジ穴７７との双方に対して補完的な外ネジ山を有するネジロッドの形を好ましくはとる。ネジ端部分６８は、六角レンチとの係合のためのネジ端部分６８を通って延在する内部六角形ソケット７８の形をさらに好ましくはとる。しかし、スロットまたは他の凹所がスクリュードライバとの係合のためにネジ端部分６８の端部に形成されてもよく、または端部分にソケットレンチまたはその同様のものとの係合のために外部六角形構造を有する肩部が設けられてもよいことは、想定できる。
【００４７】
取り付けは、上述と同様に、まずウェル１０ｃを電気装置内に配置し、ウェルの組立ボルト６６を接触挿入部の軸方向孔部５２内に挿入することで達成される。そして、取付工具は、ウェル１０ｃの内部キャビティ１８内に配置され、ウェルの組立ボルト６６における取付工具係合構造７０に適用されて、ボルトに電気装置の結合構造体との螺合をもたらす。そして、端部分６８は、ボルト６６に取り付けられ、ブッシングインサートは、従来の方式で端部分６８に取り付けられる。
【００４８】
さらに他の代替の実施形態において、図１５及び図１６において説明するように、ブッシングウェル１０ｄは、一体の接触挿入／組立ボルト部材８０有して設けられている。一体の挿入／ボルト部材８０は、ウェルのハウジング１２と一体的に成形されており、部材は、ハウジングの挿入端部１４に埋込みまたは封入されている。一体の挿入／ボルト部材８０は、ウェル１０ｄの内部キャビティ１８内に向けて延在する第１の外ネジ端部８２を有する。端部分８２に設けられた外ネジは、上述したいように、ブッシングインサートにおける内ネジ部材と補完する。第１の外ネジ端部分８２から反対方向に延在するものは、本体部分８４であり、第１の内ネジ端部と反対側の本体部分の端部に設けられているものは、ウェル１０ｄが取り付けられる電気装置と係合するための構造体である。先と同様に、図１５は、電気装置における外ネジ穴部と螺合する外ネジ端部分８６の形をとるこのような構造を示す。もちろん、本体部８４には、内ネジ端部分が設けられ、電気装置における外ネジが形成された端子と係合してもよい。
【００４９】
一体の挿入／ボルト部材８０には、同様に、さまざまな形をとりうる取付工具係合構造８８が設けられている。図１５に示すように、構造８８は、第１の外ネジ端部分８２と隣接して配置された六角形状の肩部分９０の形を好ましくはとり、標準のソケットを用いてウェルのハウジング１２における内部キャビティ１８内にアクセス可能となる。しかし、ここでも同様に、工具係合部分８８がスクリュードライバとの係合のために第１のネジ端部分８２の端部に形成されたスロットまたは他の凹所、または六角レンチとの係合のために端部分の端部に形成された内部の六角形状のソケットの形をとってもよいことは、想定できる。
【００５０】
本発明の実例となる実施形態が添付の図面を参照しながら本明細書において説明されたが、本発明がこれら厳格な実施形態に制限されず、さまざまな他の変更及び改良が本発明の範囲または精神から逸脱することなく当業者によりここでもたらされてもよいことは、理解される。
【００５１】
上述されかつ示された構造へのさまざまな変更は、ここで問う業者にとって明確となるだろう。したがって、特に説明された本発明の範囲は、特許請求の範囲において説明される。
【図面の簡単な説明】
【００５２】
【図１】従来のブッシングウェルを示す断面図である。
【図２】図１に示すブッシングウェルを示す上面図である。
【図３】本発明において形成されたブッシングウェルの好ましい実施形態を示す断面図である。
【図４】図３に示すブッシングウェルを示す断面図であってそこに取り付けられた交換可能なウェル鋲部を有する断面図である。
【図５】図４に示すブッシングウェルを示す上面図である。
【図６】本発明において形成されたブッシングウェルの代替の実施形態を示す断面図である。
【図７ａ】交換可能なウェル鋲部の代替の実施形態を示す図である。
【図７ｂ】交換可能なウェル鋲部の代替の実施形態を示す図である。
【図８ａ】交換可能なウェル鋲部の他の代替の実施形態を示す図である。
【図８ｂ】交換可能なウェル鋲部の他の代替の実施形態を示す図である。
【図９】本発明において形成されたブッシングウェルの他の代替の実施形態を示す断面図である。
【図１０】図９に示すウェル組立ボルトを示す側面図である。
【図１１】図９に示すブッシングウェルを示す上面図である。
【図１２】本発明において形成されたブッシングウェルのさらなる代替の実施形態を示す断面図である。
【図１３】図１２に示すウェル組立ボルトを示す側面図である。
【図１４】図１２に示すブッシングウェルを示す上面図である。
【図１５】本発明において形成されたブッシングウェルのさらに他の代替の実施形態を示す断面図である。
【図１６】図１５に示すブッシングウェルを示す上面図である。
【符号の説明】
【００５３】
１０，１０ａ〜１０ｄ  ブッシングウェル，ウェル、１２  ハウジング、１４  挿入端部、１６  肩部分、１８  内部キャビティ，キャビティ、２０，５０  接触挿入部，挿入部、２２，５２  軸方向孔部、２４  第１の内ネジ端部分，第１の端部分（第１の内ネジ部分）、２５  第２の内ネジ端部分，第２の端部分（第２の内ネジ部分）、２６  取付工具係合部分，係合部分、２８  レンチ通路，内部通路、２９  レンチソケット、３０，３０ａ，３０ｂ  ウェル鋲部，鋲部、３２  第１の外ネジ端部分，第１のネジ端部分，第１の端部分、３３  中間セクション、３４  第２の外ネジ端部分，第２のネジ端部分，第２の端部分、３６，５６，７０，８８  工具係合部分，取付工具係合構造，構造（取付工具係合部分）、３８，６４，７６，９０  肩部分、４０  ゴムスリーブ、４２  ベイルタブ，タブ、５４，６６  ウェル鋲部組立ボルト，ウェル組立ボルト，組立ボルト、５８，６２，８２  第１の外ネジ端部分，第１の外ネジ端部，第１のネジ端部分，第１の端部分、６８，８６  第２の外ネジ端部分，第２の外ネジ端部，第２のネジ端部分，第２の端部分、７４  外ネジ端部分、７８  内部六角形ソケット、８０  接触挿入／組立ボルト部材，挿入／ボルト部材、８４  本体部分，本体部
【図１】
0004901817.tif 000002
【図２】
0004901817.tif 000003
【図３】
0004901817.tif 000004
【図４】
0004901817.tif 000005
【図５】
0004901817.tif 000006
【図６】
0004901817.tif 000007
【図７ａ】
0004901817.tif 000008
【図７ｂ】
0004901817.tif 000009
【図８ａ】
0004901817.tif 000010
【図８ｂ】
0004901817.tif 000011
【図９】
0004901817.tif 000012
【図１０】
0004901817.tif 000013
【図１１】
0004901817.tif 000014
【図１２】
0004901817.tif 000015
【図１３】
0004901817.tif 000016
【図１４】
0004901817.tif 000017
【図１５】
0004901817.tif 000018
【図１６】
0004901817.tif 000019